【手続補正書】
【提出日】平成19年3月28日(2007.3.28)
【手続補正１】
【補正対象書類名】明細書
【補正対象項目名】特許請求の範囲
【補正方法】変更
【補正の内容】
【特許請求の範囲】
【請求項１】  画像形成装置に設けられ現像器を回転させる回転体に着脱可能に装着され、前記回転体に前記現像器と共に実質的に固定された状態で回転可能な現像剤回収容器において、
前記現像器から排出された現像剤を受入れる受入れ口と、
前記現像器から回収した現像剤を収容する収容部と、
前記収容部へ現像剤を排出する排出口が設けられ、前記回転体の回転に伴って、前記受入れ口から受入れた現像剤を前記排出口へ搬送する搬送管と、
を有し、
前記搬送管は、前記回転体の回転に伴って前記収容部内の現像剤が前記排出口へ進入するのを防止する進入防止部を有することを特徴とする現像剤回収容器。
【請求項２】  前記進入防止部は、前記収容部内の現像剤が前記回転体の回転に伴って前記回転体の回転方向上流側から前記排出口へ進入するのを防止することを特徴とする請求項１の現像剤回収容器。
【請求項３】  前記搬送管は前記排出口よりも搬送方向上流側に設けられた出口を有し、前記進入防止部は前記回転体の回転に伴って前記受入れ口から前記搬送管内を搬送されて前記出口から出てきた現像剤と衝突する面を有し、この現像剤と衝突する面は現像剤が重力によって前記収容部内へ搬送を促される方向に傾斜していることを特徴とする請求項２の現像剤回収容器。
【請求項４】  前記出口は前記受入れ口よりも小さく形成されていることを特徴とする請求項３の現像剤回収容器。
【請求項５】  前記現像剤回収容器は前記受入れ口がこれよりも小さい前記現像器の現像剤排出口と連通するように前記回転体にセットされ、前記回転体が回転しているとき前記現像器の現像剤排出口と前記受入れ口との連通状態が維持されることを特徴とする請求項４の現像剤回収容器。
【請求項６】  前記搬送管は前記受入れ口から前記収容部内に向けて略直線的に突出して設けられることを特徴とする請求項１の現像剤回収容器。
【請求項７】  前記現像剤回収容器は、前記現像器へ補給するための現像剤を収容する現像剤補給容器と一体的に設けられることを特徴とする請求項１の現像剤回収容器。
【請求項８】  前記現像剤補給容器内に収容された現像剤は非磁性トナーと真比重が２．５以上４．５以下である磁性キャリアを含む混合物であり、前記現像剤回収容器は該非磁性トナーと磁性キャリアを含む混合物を前記現像器より回収することを特徴とする請求項７の現像剤回収容器。
【請求項９】  前記現像剤回収容器は前記受入れ口が前記現像器に設けられた現像剤排出口と連通するように前記回転体にセットされ、前記回転体が回転しているとき前記現像器の現像剤排出口と前記受入れ口との連通状態が維持されることを特徴とする請求項１の現像剤回収容器。
【請求項１０】  前記収容部と前記搬送管は一体的に設けられることを特徴とする請求項１の現像剤回収容器。
【請求項１１】  画像形成装置に設けられ現像器を回転させる回転体に着脱可能に装着され、前記回転体に前記現像器と共に実質的に固定された状態で回転可能な現像剤回収容器において、
前記現像器から排出された現像剤を受入れる受入れ口と、
前記現像器から回収した現像剤を収容する収容部と、
前記回転体の回転に伴って前記受入れ口から受入れた現像剤を前記収容部内へ搬送する搬送管と、
を有し、
前記搬送管は前記受入れ口から前記収容部内に向けて略直線的に突出して設けられることを特徴とする現像剤回収容器。
【請求項１２】  前記現像剤回収容器は、仕切り部で仕切られた状態で、前記現像器へ補給するための現像剤を収容する現像剤補給容器と一体的に設けられていることを特徴とする請求項１１の現像剤回収容器。
【請求項１３】  前記仕切り部には、前記現像剤補給容器側から前記現像剤回収容器側へ突出し且つ前記現像剤補給容器側が空洞となっている領域が設けられており、前記搬送管はこの領域上に設けられていることを特徴とする請求項１２の現像剤回収容器。
【請求項１４】  前記現像剤回収容器は前記受入れ口が前記現像器に設けられた現像剤排出口と連通するように前記回転体にセットされ、前記回転体が回転しているとき前記現像器の現像剤排出口と前記受入れ口との連通状態が維持されることを特徴とする請求項１１の現像剤回収容器。
【請求項１５】  前記収容部と前記搬送管は一体的に設けられることを特徴とする請求項１１の現像剤回収容器。
【請求項１６】  画像形成装置に設けられ現像器を回転させる回転体に着脱可能に装着され、前記回転体に前記現像器と共に実質的に固定された状態で回転可能な現像剤回収容器において、
前記現像器から排出された現像剤を受入れる受入れ口と、
前記現像器から回収した現像剤を収容する収容部と、
前記収容部へ現像剤を排出する排出口が設けられ、前記回転体の回転に伴って、前記受入れ口から受入れた現像剤を前記排出口へ搬送する搬送管と、
を有し、
前記排出口は前記回転体の回転方向下流側を向くように設けられていることを特徴とする現像剤回収容器。
【請求項１７】  前記排出口は前記受入れ口よりも小さく形成されていることを特徴とする請求項１６の現像剤回収容器。
【請求項１８】  前記現像剤回収容器は前記受入れ口がこれよりも小さい前記現像器の現像剤排出口と連通するように前記回転体にセットされ、前記回転体が回転しているとき前記現像器の現像剤排出口と前記受入れ口との連通状態が維持されることを特徴とする請求項１７の現像剤回収容器。
【請求項１９】  前記現像剤回収容器は、前記現像器へ補給するための現像剤を収容する現像剤補給容器と一体的に設けられることを特徴とする請求項１６の現像剤回収容器。
【請求項２０】  前記収容部と前記搬送管は一体的に設けられることを特徴とする請求項１６の現像剤回収容器。
【請求項２１】  画像形成装置に設けられ現像器を回転させる回転体に着脱可能に装着され、前記回転体に前記現像器と共に実質的に固定された状態で回転可能な現像剤回収容器において、
前記現像器から排出された現像剤を受入れる受入れ口と、
前記現像器から回収した現像剤を収容する収容部と、
前記収容部へ現像剤を排出する排出口が設けられ、前記回転体の回転に伴って、前記受入れ口から受入れた現像剤を前記排出口へ搬送する搬送管と、
を有し、
前記現像剤回収容器は前記受入れ口がこれよりも小さい前記現像器の現像剤排出口と連通するように前記回転体にセットされ、前記排出口を前記受入れ口よりも小さくすることを特徴とする現像剤回収容器。
【請求項２２】  前記搬送管は前記受入れ口から前記収容部内に向けて略直線的に突出して設けられることを特徴とする請求項２１の現像剤回収容器。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】変更
【補正の内容】
【００３０】
（１）画像形成装置に設けられ現像器を回転させる回転体に着脱可能に装着され、前記回転体に前記現像器と共に実質的に固定された状態で回転可能な現像剤回収容器において、
前記現像器から排出された現像剤を受入れる受入れ口と、
前記現像器から回収した現像剤を収容する収容部と、
前記収容部へ現像剤を排出する排出口が設けられ、前記回転体の回転に伴って、前記受入れ口から受入れた現像剤を前記排出口へ搬送する搬送管と、
を有し、
前記搬送管は、前記回転体の回転に伴って前記収容部内の現像剤が前記排出口へ進入するのを防止する進入防止部を有することを特徴とする現像剤回収容器。
【手続補正１６】
【補正対象書類名】明細書
【補正対象項目名】００３１
【補正方法】変更
【補正の内容】
【００３１】
（２）前記進入防止部は、前記収容部内の現像剤が前記回転体の回転に伴って前記回転体の回転方向上流側から前記排出口へ進入するのを防止することを特徴とする上記（１）の現像剤回収容器。
【手続補正１７】
【補正対象書類名】明細書
【補正対象項目名】００３２
【補正方法】変更
【補正の内容】
【００３２】
（３）前記搬送管は前記排出口よりも搬送方向上流側に設けられた出口を有し、前記進入防止部は前記回転体の回転に伴って前記受入れ口から前記搬送管内を搬送されて前記出口から出てきた現像剤と衝突する面を有し、この現像剤と衝突する面は現像剤が重力によって前記収容部内へ搬送を促される方向に傾斜していることを特徴とする上記（２）の現像剤回収容器。
【手続補正１８】
【補正対象書類名】明細書
【補正対象項目名】００３３
【補正方法】変更
【補正の内容】
【００３３】
（４）前記出口は前記受入れ口よりも小さく形成されていることを特徴とする上記（３）の現像剤回収容器。
【手続補正１９】
【補正対象書類名】明細書
【補正対象項目名】００３４
【補正方法】変更
【補正の内容】
【００３４】
（５）前記現像剤回収容器は前記受入れ口がこれよりも小さい前記現像器の現像剤排出口と連通するように前記回転体にセットされ、前記回転体が回転しているとき前記現像器の現像剤排出口と前記受入れ口との連通状態が維持されることを特徴とする上記（４）の現像剤回収容器。
【手続補正２０】
【補正対象書類名】明細書
【補正対象項目名】００３５
【補正方法】変更
【補正の内容】
【００３５】
（６）前記搬送管は前記受入れ口から前記収容部内に向けて略直線的に突出して設けられることを特徴とする上記（１）の現像剤回収容器。
【手続補正２１】
【補正対象書類名】明細書
【補正対象項目名】００３６
【補正方法】変更
【補正の内容】
【００３６】
（７）前記現像剤回収容器は、前記現像器へ補給するための現像剤を収容する現像剤補給容器と一体的に設けられることを特徴とする上記（１）の現像剤回収容器。
【手続補正２２】
【補正対象書類名】明細書
【補正対象項目名】００３７
【補正方法】変更
【補正の内容】
【００３７】
（８）前記現像剤補給容器内に収容された現像剤は非磁性トナーと真比重が２．５以上４．５以下である磁性キャリアを含む混合物であり、前記現像剤回収容器は該非磁性トナーと磁性キャリアを含む混合物を前記現像器より回収することを特徴とする上記（７）の現像剤回収容器。
【手続補正２３】
【補正対象書類名】明細書
【補正対象項目名】００３８
【補正方法】変更
【補正の内容】
【００３８】
（９）前記現像剤回収容器は前記受入れ口が前記現像器に設けられた現像剤排出口と連通するように前記回転体にセットされ、前記回転体が回転しているとき前記現像器の現像剤排出口と前記受入れ口との連通状態が維持されることを特徴とする上記（１）の現像剤回収容器。
【手続補正２４】
【補正対象書類名】明細書
【補正対象項目名】００３９
【補正方法】変更
【補正の内容】
【００３９】
（１０）前記収容部と前記搬送管は一体的に設けられることを特徴とする上記（１）の現像剤回収容器。
【手続補正２５】
【補正対象書類名】明細書
【補正対象項目名】００４０
【補正方法】変更
【補正の内容】
【００４０】
（１１）画像形成装置に設けられ現像器を回転させる回転体に着脱可能に装着され、前記回転体に前記現像器と共に実質的に固定された状態で回転可能な現像剤回収容器において、
前記現像器から排出された現像剤を受入れる受入れ口と、
前記現像器から回収した現像剤を収容する収容部と、
前記回転体の回転に伴って前記受入れ口から受入れた現像剤を前記収容部内へ搬送する搬送管と、
を有し、
前記搬送管は前記受入れ口から前記収容部内に向けて略直線的に突出して設けられることを特徴とする現像剤回収容器。
【手続補正２６】
【補正対象書類名】明細書
【補正対象項目名】００４１
【補正方法】変更
【補正の内容】
【００４１】
（１２）前記現像剤回収容器は、仕切り部で仕切られた状態で、前記現像器へ補給するための現像剤を収容する現像剤補給容器と一体的に設けられていることを特徴とする上記（１１）の現像剤回収容器。
【手続補正２７】
【補正対象書類名】明細書
【補正対象項目名】００４２
【補正方法】変更
【補正の内容】
【００４２】
（１３）前記仕切り部には、前記現像剤補給容器側から前記現像剤回収容器側へ突出し且つ前記現像剤補給容器側が空洞となっている領域が設けられており、前記搬送管はこの領域上に設けられていることを特徴とする上記（１２）の現像剤回収容器。
【手続補正２８】
【補正対象書類名】明細書
【補正対象項目名】００４３
【補正方法】変更
【補正の内容】
【００４３】
（１４）前記現像剤回収容器は前記受入れ口が前記現像器に設けられた現像剤排出口と連通するように前記回転体にセットされ、前記回転体が回転しているとき前記現像器の現像剤排出口と前記受入れ口との連通状態が維持されることを特徴とする上記（１１）の現像剤回収容器。
【手続補正２９】
【補正対象書類名】明細書
【補正対象項目名】００４４
【補正方法】変更
【補正の内容】
【００４４】
（１５）前記収容部と前記搬送管は一体的に設けられることを特徴とする上記（１１）の現像剤回収容器。
【手続補正３０】
【補正対象書類名】明細書
【補正対象項目名】００４５
【補正方法】変更
【補正の内容】
【００４５】
（１６）画像形成装置に設けられ現像器を回転させる回転体に着脱可能に装着され、前記回転体に前記現像器と共に実質的に固定された状態で回転可能な現像剤回収容器において、
前記現像器から排出された現像剤を受入れる受入れ口と、
前記現像器から回収した現像剤を収容する収容部と、
前記収容部へ現像剤を排出する排出口が設けられ、前記回転体の回転に伴って、前記受入れ口から受入れた現像剤を前記排出口へ搬送する搬送管と、
を有し、
前記排出口は前記回転体の回転方向下流側を向くように設けられていることを特徴とする現像剤回収容器。
【手続補正３１】
【補正対象書類名】明細書
【補正対象項目名】００４６
【補正方法】変更
【補正の内容】
【００４６】
（１７）前記排出口は前記受入れ口よりも小さく形成されていることを特徴とする上記（１６）の現像剤回収容器。
【手続補正３２】
【補正対象書類名】明細書
【補正対象項目名】００４７
【補正方法】変更
【補正の内容】
【００４７】
（１８）前記現像剤回収容器は前記受入れ口がこれよりも小さい前記現像器の現像剤排出口と連通するように前記回転体にセットされ、前記回転体が回転しているとき前記現像器の現像剤排出口と前記受入れ口との連通状態が維持されることを特徴とする上記（１７）の現像剤回収容器。
【手続補正３３】
【補正対象書類名】明細書
【補正対象項目名】００４８
【補正方法】変更
【補正の内容】
【００４８】
（１９）前記現像剤回収容器は、前記現像器へ補給するための現像剤を収容する現像剤補給容器と一体的に設けられることを特徴とする上記（１６）の現像剤回収容器。
【手続補正３４】
【補正対象書類名】明細書
【補正対象項目名】００４９
【補正方法】変更
【補正の内容】
【００４９】
（２０）前記収容部と前記搬送管は一体的に設けられることを特徴とする上記（１６）の現像剤回収容器。
【手続補正３５】
【補正対象書類名】明細書
【補正対象項目名】００５０
【補正方法】変更
【補正の内容】
【００５０】
（２１）画像形成装置に設けられ現像器を回転させる回転体に着脱可能に装着され、前記回転体に前記現像器と共に実質的に固定された状態で回転可能な現像剤回収容器において、
前記現像器から排出された現像剤を受入れる受入れ口と、
前記現像器から回収した現像剤を収容する収容部と、
前記収容部へ現像剤を排出する排出口が設けられ、前記回転体の回転に伴って、前記受入れ口から受入れた現像剤を前記排出口へ搬送する搬送管と、
を有し、
前記現像剤回収容器は前記受入れ口がこれよりも小さい前記現像器の現像剤排出口と連通するように前記回転体にセットされ、前記排出口を前記受入れ口よりも小さくすることを特徴とする現像剤回収容器。
【手続補正３６】
【補正対象書類名】明細書
【補正対象項目名】００５１
【補正方法】変更
【補正の内容】
【００５１】
（２２）前記搬送管は前記受入れ口から前記収容部内に向けて略直線的に突出して設けられることを特徴とする上記（２１）の現像剤回収容器。
【手続補正３７】
【補正対象書類名】明細書
【補正対象項目名】００７４
【補正方法】変更
【補正の内容】
【００７４】
先ず、現像剤回収容器１０は、現像器２０内から排出された廃キャリア２を受入れて回収するための受入れ口である回収口１１と、この回収口１１から受入れた現像剤を収容する収容部たる回収現像剤収納部１０ａとを有する。そして、現像剤回収容器１０には、回収口１１から現像剤回収容器１０の内部に略直線的に向かって伸びる、搬送管としての管状部材１２が設けてある。管状部材１２の、回収口１１とは反対側の端部には排出口としての開口部１２ａが設けられており、回転体３０の回転に伴って、回収口１１が受入れた余剰現像剤（廃キャリア）２が管状部材１２内を搬送され開口部１２ａから回収現像剤収納部１０ａ内へ排出される。更に、現像剤回収容器１０には、廃キャリア２を収納後、画像形成装置本体５０（回転体３０）から交換のために取り出し可能な構成となっているため、回収口１１を密閉するためにシャッター１３が設けてある。尚、回転体３０が回転しているときこのシャッター１３は開いた状態となっており、現像器２０に設けられた現像剤排出口（排出管２１の開口）２１ｅと連通状態が維持されている。
【手続補正３８】
【補正対象書類名】明細書
【補正対象項目名】００９２
【補正方法】変更
【補正の内容】
【００９２】
尚、管状部材１２の内部が、回収口１１から、回収口１１とは反対側の開口部１２ａに向かって細くなるようなテーパーがついていることが好ましい。即ち、現像器２０の排出管２１の排出口（現像剤排出口）２１ｅの開口面積を、現像剤回収容器１０の回収口１１よりも小さくし、両者の接続部での現像剤の漏れを有効に防止する構成としている。そのため、回収口１１はある程度大きな開口としなければならないが、逆流防止という観点から現像剤回収容器１０の開口部１２ａを、この回収口１１よりも小さくするのが好ましい。即ち、これにより、開口部１２ａが狭くなることで、回収した現像剤がより逆流し難くなる。
【手続補正３９】
【補正対象書類名】明細書
【補正対象項目名】０１１０
【補正方法】変更
【補正の内容】
【０１１０】
図１１（ａ）、（ｂ）に現像剤回収容器１０と現像剤補給容器１とが一体的に設けられたカートリッジ４０の他の例を示す。図中、上記実施例におけるものと同様の機能を有する要素には同一の符号を付している。
【手続補正４０】
【補正対象書類名】図面
【補正対象項目名】図１０
【補正方法】変更
【補正の内容】
【図１０】
2003255708.tif 000001